(57)【要約】      （修正有）【課題】無線公衆網サービスから外れた、サービスが受けられない場合、ユーザが希望した際には有線回線に繋がった通信端末に無線公衆網サービスを受けることができる無線通信擬似接続システムを提供する。【解決手段】電話サービスサーバ２００は、接続端末３００からのアクセス要求を受けて認証手段２０５が認証すると、電話サービスサーバ２００のネットワーク確立手段２０６は、接続端末３００との間でネットワークを確立し、電話サービスサーバ２００の通信回線仲介手段２０２は、該当する無線通信端末宛ての通信サービスを、接続端末３００から電話サービスサーバ２００を経由して無線公衆サービスサーバ１００に転送する仲介を行い、接続端末３００と無線公衆サービスサーバ１００とを接続する。【選択図】  図１
2004215097.tif 000002
【特許請求の範囲】
【請求項１】
無線通信端末と、前記無線通信端末を有線公衆網と接続可能にする無線公衆サービスを行う無線公衆サービスサーバと、前記無線公衆サービスサーバに接続され、発信、着信及び通話の電話サービスを行う電話サービスサーバと、前記電話サービスサーバとの間でデータ通信が可能な接続端末とを備える無線通信擬似接続システムであって、
前記電話サービスサーバは、
前記無線通信端末と前記接続端末を接続するための通信回線仲介手段と、
前記接続端末に接続するためのネットワーク確立手段と、
顧客の認証を行う認証手段とを備え、
前記接続端末は、
前記電話サービスサーバに接続するためのネットワーク確立手段と、
前記電話サービスサーバとの通信のやり取りを行うデータ送受信手段と、
データを入出力する入出力手段とを備え、
前記電話サービスサーバは、前記接続端末からのアクセス要求を受けて前記認証手段が認証すると、
前記電話サービスサーバのネットワーク確立手段は、前記接続端末との間でネットワークを確立し、
前記電話サービスサーバの通信回線仲介手段は、該当する無線通信端末宛ての通信サービスを、前記接続端末から前記電話サービスサーバを経由して前記無線公衆サービスサーバに転送する仲介を行い、前記接続端末と前記無線公衆サービスサーバとを接続することを特徴とする無線通信擬似接続システム。
【請求項２】
さらに、前記無線公衆サービスサーバは、
前記無線通信端末から前記電話サービスサーバに対し、発信、着信及び通話の電話サービスを仲介する通信回線仲介手段を備え、
前記無線公衆サービスサーバの通信回線仲介手段が転送指示が行うと、
前記電話サービスサーバの通信回線仲介手段は、
前記電話サービスサーバと前記接続手段との間で前記ネットワークが確立しているとき、
該当する無線通信端末宛ての通信サービスを、前記接続端末に転送する仲介を行い、前記電話サービスサーバを介して前記接続端末と前記無線公衆サービスサーバとを接続することを特徴とする請求項１記載の無線通信擬似接続システム。
【請求項３】
前記電話サービスサーバのネットワーク確立手段は、インターネット等を含むネットワークに接続されている機器とネットワークを確立することを特徴とする請求項１記載の無線通信擬似接続システム。
【請求項４】
前記接続端末は、インターネットを含むネットワークに接続可能な機器であり、
前記接続機器のネットワーク確立手段は、インターネットを含むネットワークに接続されている機器とネットワークを確立することを特徴とする請求項１記載の無線通信擬似接続システム。
【請求項５】
前記入出力手段は、前記認証に必要な情報を入力するキー入力部等の入力手段であることを特徴とする請求項１記載の無線通信擬似接続システム。
【請求項６】
前記入出力手段は、着信又は通話を前記認証に必要な情報を知らせる表示部、及び／又は音声出力部からなる出力手段であることを特徴とする請求項１又は５に記載の無線通信擬似接続システム。
【請求項７】
さらに、顧客情報を管理する顧客管理手段と、
暗証番号を記憶する暗証番号記憶手段とを備え、
前記認証手段は、前記顧客管理手段が管理する顧客情報及び、前記暗証番号記憶手段に記憶されている暗証番号と前記接続端末から送信された暗証番号とを照合して顧客であることを認証することを特徴とする請求項１記載の無線通信擬似接続システム。
【請求項８】
さらに、通信データを変換するデータ変換手段を備え、
前記データ変換手段は、前記接続端末から前記無線公衆サービスサーバに転送するデータ、又は前記無線公衆サービスサーバから前記接続端末に転送するデータを変換することを特徴とする請求項１記載の無線通信擬似接続システム。
【請求項９】
さらに、前記無線通信端末は、
前記接続端末との間でデータを送受信する通信手段を備え、
前記接続端末は、前記無線通信端末との間でデータを送受信する通信手段を備え、双方で通信を行うことを特徴とする請求項１記載の無線通信擬似接続システム。
【請求項１０】
さらに、前記無線通信端末は、セキュリティキーを前記接続端末に送信するセキュリティキー送出手段を備え、
前記電話サービスサーバは、前記セキュリティキーを判定するセキュリティキー判定手段を備え、
前記無線通信端末から送信されたセキュリティキーを判定して前記接続を行うことを特徴とする請求項１記載の無線通信擬似接続システム。
【請求項１１】
さらに、前記無線通信端末は、セキュリティキーを受信するセキュリティキー受信手段を備え、
前記電話サービスサーバから定期的にセキュリティキーを受信し、該受信したセキュリティキーを判定して前記接続を行うことを特徴とする請求項１記載の無線通信擬似接続システム。
【請求項１２】
さらに、前記無線通信端末は、２次元バーコードを認識する２次元バーコード認識手段を備え、
２次元バーコードデータをセキュリティキーとして取り込み、前記電話サービスサーバに送ることを特徴とする請求項１記載の無線通信擬似接続システム。
【請求項１３】
さらに、前記接続端末は、セキュリティキーを入力するセキュリティキー入力手段を備え、
前記入力されたセキュリティキーを判定して前記接続を行うことを特徴とする請求項１記載の無線通信擬似接続システム。
【発明の詳細な説明】
【０００１】
【発明の属する技術分野】
本発明は、携帯電話等に代表される無線通信端末の無線通信擬似接続システムに関する。
【０００２】
【従来の技術】
セルラシステムの自動車電話、携帯電話に代表される移動体通信は、近年普及の一途にあり、ＰＤＡ（Ｐｅｒｓｏｎａｌ  Ｄｉｇｉｔａｌ  Ａｓｓｉｓｔａｎｔｓ）機能付き等の多機能携帯電話機もますます普及するものと考えられる。
【０００３】
近年、無線通信技術の発展や、インターネットに代表される電子通信（ネットワーク）インフラ／サービスの整備向上等に起因し、携帯電話に代表されるモバイル使用を商品コンセプトとする機器においても、電子メールの送受信機能やインターネットアクセス機能等が具備されている。
【０００４】
また、現在、無線公衆網を運営している会社のサービスにおいて、転送電話サービスと呼ばれるサービスが存在する。この転送電話サービスは、有線の公衆網への転送を意味しており、例えば、オフィスや家庭の電話に転送するといった使い方がされている。オフィスにおいて個人用の電話を保有している人は少なく、オフィスにある個人用の電話に転送サービスを受けることは実用的ではない。
【０００５】
特許文献１には、無線公衆網サービスの圏外になった場合でも固定無線基地局を置くことによって、無線通信端末をそのまま使うことができる方法が開示されている。
【０００６】
さらに、無線通信端末は、昔に比べ電池容量が増えてはいるが、無線通信端末の使いすぎによる電池消耗や充電し忘れによる電池消耗も少なくない。近年では、コンビニエンスストアー等に充電器を置いている程である。無線通信端末は、このような電池を消耗を抑えるといった場合には対応できないという問題がある。
【０００７】
また、病院内や航空機内などの携帯電話機の発信禁止区域においては、携帯電話機の電源をオフにする方法が採られる。しかし、電源をオフとすることにより携帯電話のすべての機能が使用不可能となる問題があった。すなわち、電話番号情報に代表される携帯電話機に登録されている情報の閲覧など電磁波の発射とは無関係な機能さえ使用不可能となってしまう問題である。
【０００８】
このような問題を解決するための方法として、例えば特許文献２には、携帯電話機に送受信停止／解除ボタンを設け、強い電磁波を出す送受信機能のみを停止又は解除できるようにした携帯電話機が開示されている。また、例えば特許文献３には、無線通信禁止区域において電波を送受信する機能を停止させる装置が、特許文献４には、無線通信禁止区域では自動的に電源供給を切断する装置がそれぞれ開示されている。
【０００９】
【特許文献１】
特開平３−２３８５４４号公報（図１）
【特許文献２】
特開平１１−２８４７２号公報（図１）
【特許文献３】
特開平１１−２２５３７８号公報（図１）
【特許文献４】
特開平１０−３０４４４３号公報（図１）
【００１０】
【発明が解決しようとする課題】
近年、無線公衆網の設備が整ってきたため、以前程無線通信サービスが使えない場所が減ってきた。しかしながら、公衆の場では、対外的に迷惑であることから、無線公衆サービスを外しているエリアも多く存在する。無線通信サービスを行っているキャリアがサービスを提供している転送サービスで、複数の人間が取る確率の高い電話機等に転送したくないと考えるユーザも多い。
【００１１】
また、特許文献１では、固定無線サービスに用意された優先公衆網用電話に固定されている。したがって、サテライトオフィスや漫画喫茶や図書館に代表されるような静かさを保つことが原則である公衆の場所や、無線通信が使えない病院等では、電波が届かないようになっている場合が多く、無線公衆網サービスを一次的に使いたいというニーズにいつでも対応できるものではない。
【００１２】
本発明は、このような課題に鑑みてなされたものであって、無線公衆網サービスから外れた、サービスが受けられない場合、ユーザが希望した際には有線回線に繋がった通信端末に無線公衆網サービスを受けることができる無線通信擬似接続システムを提供することを目的とする。
【００１３】
【課題を解決するための手段】
本発明の無線通信擬似接続システムは、無線通信端末と、前記無線通信端末を有線公衆網と接続可能にする無線公衆サービスを行う無線公衆サービスサーバと、前記無線公衆サービスサーバに接続され、発信、着信及び通話の電話サービスを行う電話サービスサーバと、前記電話サービスサーバとの間でデータ通信が可能な接続端末とを備える無線通信擬似接続システムであって、前記電話サービスサーバは、前記無線通信端末と前記接続端末を接続するための通信回線仲介手段と、前記接続端末に接続するためのネットワーク確立手段と、顧客の認証を行う認証手段とを備え、前記接続端末は、前記電話サービスサーバに接続するためのネットワーク確立手段と、前記電話サービスサーバとの通信のやり取りを行うデータ送受信手段と、データを入出力する入出力手段とを備え、前記電話サービスサーバは、前記接続端末からのアクセス要求を受けて前記認証手段が認証すると、前記電話サービスサーバのネットワーク確立手段は、前記接続端末との間でネットワークを確立し、前記電話サービスサーバの通信回線仲介手段は、該当する無線通信端末宛ての通信サービスを、前記接続端末から前記電話サービスサーバを経由して前記無線公衆サービスサーバに転送する仲介を行い、前記接続端末と前記無線公衆サービスサーバとを接続することを特徴としている。
【００１４】
さらに、前記無線公衆サービスサーバは、前記無線通信端末から前記電話サービスサーバに対し、発信、着信及び通話の電話サービスを仲介する通信回線仲介手段を備え、前記無線公衆サービスサーバの通信回線仲介手段が転送指示が行うと、前記電話サービスサーバの通信回線仲介手段は、前記電話サービスサーバと前記接続手段との間で前記ネットワークが確立しているとき、該当する無線通信端末宛ての通信サービスを、前記接続端末に転送する仲介を行い、前記電話サービスサーバを介して前記接続端末と前記無線公衆サービスサーバとを接続することことがより好ましい。
【００１５】
また、前記電話サービスサーバのネットワーク確立手段は、インターネット等を含むネットワークに接続されている機器とネットワークを確立するものであってもよく、前記接続端末は、インターネットを含むネットワークに接続可能な機器であり、前記接続機器のネットワーク確立手段は、インターネットを含むネットワークに接続されている機器とネットワークを確立するものであってもよい。
【００１６】
また、前記入出力手段は、前記認証に必要な情報を入力するキー入力部等の入力手段であってもよく、前記入出力手段は、着信又は通話を前記認証に必要な情報を知らせる表示部、及び／又は音声出力部からなる出力手段であってもよい。
【００１７】
さらに、顧客情報を管理する顧客管理手段と、暗証番号を記憶する暗証番号記憶手段とを備え、前記認証手段は、前記顧客管理手段が管理する顧客情報及び、前記暗証番号記憶手段に記憶されている暗証番号と前記接続端末から送信された暗証番号とを照合して顧客であることを認証することが好ましい。
【００１８】
さらに、通信データを変換するデータ変換手段を備え、前記データ変換手段は、前記接続端末から前記無線公衆サービスサーバに転送するデータ、又は前記無線公衆サービスサーバから前記接続端末に転送するデータを変換するものであってもよい。
【００１９】
さらに、前記無線通信端末は、前記接続端末との間でデータを送受信する通信手段を備え、前記接続端末は、前記無線通信端末との間でデータを送受信する通信手段を備え、双方で通信を行うものであってもよい。
【００２０】
さらに、前記無線通信端末は、セキュリティキーを前記接続端末に送信するセキュリティキー送出手段を備え、前記電話サービスサーバは、前記セキュリティキーを判定するセキュリティキー判定手段を備え、前記無線通信端末から送信されたセキュリティキーを判定して前記接続を行うものであってもよい。
【００２１】
さらに、前記無線通信端末は、セキュリティキーを受信するセキュリティキー受信手段を備え、前記電話サービスサーバから定期的にセキュリティキーを受信し、該受信したセキュリティキーを判定して前記接続を行うものであってもよい。
【００２２】
さらに、前記無線通信端末は、２次元バーコードを認識する２次元バーコード認識手段を備え、２次元バーコードデータをセキュリティキーとして取り込み、前記電話サービスサーバに送るものであってもよい。
【００２３】
さらに、前記接続端末は、セキュリティキーを入力するセキュリティキー入力手段を備え、前記入力されたセキュリティキーを判定して前記接続を行うものであってもよい。
【００２４】
【発明の実施の形態】
以下、添付図面を参照しながら本発明の好適な無線通信擬似接続システムの実施の形態について詳細に説明する。
【００２５】
第１の実施の形態
図１は、本発明の第１の実施の形態の無線通信擬似接続システムの構成を示す図である。本実施の形態に係る無線通信擬似接続システムは、パケット通信を行うネットワークを介してサーバコンピュータに接続されたパーソナルコンピュータ（パソコン）、また無線通信端末は、ＰＤＡ等の携帯情報端末、携帯電話機／ＰＨＳ（Ｐｅｒｓｏｎａｌ  Ｈａｎｄｙ−Ｐｈｏｎｅ  Ｓｙｓｔｅｍ）に適用した例である。
【００２６】
図１において、無線通信擬似接続システムは、携帯電話機／ＰＨＳ等の無線通信端末４００，５００と、無線通信端末４００，５００を有線公衆網と接続可能にする固定無線サービスを行う無線公衆網サービスサーバ１００と、無線公衆網サービスサーバ１００に接続され、発信、着信及び通話の電話サービスを行うとともに、無線通信端末４００，５００と接続機器との通信を仲介する電話サービスサーバ２００と、電話サービスサーバ２００との間でデータ通信が可能な接続端末３００とから構成される。
【００２７】
無線通信端末４００，５００は、無線通信を行うための無線送受信機等からなる無線通信手段４０１，５０１をそれぞれ備える。
無線公衆網サービスサーバ１００は、電話サービスサーバ２００に転送の指示を行うとともに、電話サービスサーバ２００を接続する通信回線仲介手段１０１を備えて構成される。
【００２８】
電話サービスサーバ２００は、顧客情報を管理する顧客管理手段２０１、無線通信端末４００，５００とインターネット等に接続された接続端末３００を接続する通信回線仲介手段２０２、電話サービスサーバ２００と接続端末３００を繋ぐアクセス手段２０３、顧客情報及び暗証番号を記憶するＨＤＤ等からなる記憶装置２０４、顧客の認証を行う認証手段２０５、及びネットワーク確立手段２０６を備えて構成される。
【００２９】
接続端末３００は、インターネット等を含むネットワークに接続可能な機器であり、例えばパソコン等の情報処理装置やインターネットに接続可能なアクセスポイント（ＡＰ）により構成される。
【００３０】
接続端末３００は、データを入出力する数値キーや機能キー等の入力装置及びＬＣＤ等の表示装置からなる入出力手段３０１、電話サービスサーバ２００と接続端末３００を繋ぐアクセス手段３０２、インターネット等に接続するネットワーク確立手段３０３、及び電話サービスサーバ２００と通信のやり取りを行うデータ送受信手段３０４を備えて構成される。
【００３１】
接続機器３００のネットワーク確立手段３０３は、インターネット等を含むネットワークに接続されている電話サービスサーバ２００のネットワーク確立手段２０６とネットワークを確立する。インターネットは、一般公衆回線及びインターネット接続プロバイダを介して接続され、世界中に張り巡らされたアナログ及びデジタル回線網であり、この回線を介して他の端末とデータの送受信を行う。ここで、電話サービスサーバ２００及び接続機器３００は、アナログ回線，ＩＳＤＮ回線，パケット回線，ＰＨＳ回線，無線回線等からなる様々なインターネットに接続されている。
【００３２】
上記インターネットは、各種サーバのコンピュータとパソコン等の接続端末３００のローカルコンピュータの間を結ぶ、ＬＡＮ（Ｌｏｃａｌ  Ａｒｅａ  Ｎｅｔｗｏｒｋ），ＤｉａｌＵｐ接続等によるデータ通信手段を総称する概念である。また、ネットワークのアクセス回線としては、ＦＴＴＨ（Ｆｉｂｅｒ  Ｔｏ  Ｔｈｅ  Ｈｏｍｅ）、ＨＦＣ（Ｈｙｂｒｉｄ  Ｆｉｂｅｒ  Ｃｏａｘ：光同軸ケーブル）、及びＡＤＳＬ（Ａｓｙｍｍｅｔｒｉｃ  Ｄｉｇｉｔａｌ  Ｓｕｂｓｃｒｉｂｅｒ  Ｌｉｎｅ）等の大容量回線、又はアナログモデムを利用した電話回線、ＰＨＳ，携帯電話等を利用したワイヤレス回線等が利用可能である。
以下、上述のように構成された無線通信擬似接続システムの動作を説明する。
【００３３】
図２及び図３は、無線通信擬似接続システムの制御シーケンスを示す図である。本フローは各端末及びサーバのＣＰＵにより実行される。図中、Ｓは信号のやり取りを示す。
図２は、ユーザＡが使用する無線公衆網サービスサーバ１００と電話サービスサーバ２００との通信が確立するまでの場合の例である。
【００３４】
図１の×印に示すように、ユーザＡの所持する無線通信端末４００が圏外にあるとすると、ユーザＡはインターネット等に代表されるネットワークに接続されている機器である接続端末３００からアクセス手段３０２により電話サービスサーバ２００にアクセスする（ステップＳ１）。このアクセスはデータ送受信手段３０４により電話サービスサーバ２００に送信される。ここで、電話サービスサーバ２００との通信は、データ送受信手段３０４が行うが以下の説明では、データ送受信手段３０４の介在を省略して説明している。
【００３５】
接続端末３００からのアクセス要求は、電話サービスサーバ２００のアクセス手段２０３が受け、認証手段２０５に渡す。認証手段２０５は、接続端末３００に対しユーザＡの認証を求める（ステップＳ２）。
【００３６】
接続端末３００では、ユーザＡが認証のために、入出力手段３０１により自分の無線通信端末固有番号及び暗証番号を入力する。この無線通信端末固有番号とは、例えば電話番号や製造番号である。入出力手段３０１により入力された無線通信端末固有番号及び暗証は、電話サービスサーバ２００に送信される（ステップＳ３）。
【００３７】
電話サービスサーバ２００の認証手段２０５は、顧客管理手段２０１及び記憶手段２０４を使って、認証の正誤を判定する。具体的には、顧客管理手段２０１が管理する顧客情報と記憶手段２０４に記憶されている暗証番号とを、接続端末３００から送信された無線通信端末固有番号及び暗証により照合し一致した場合認証が許可とする。
【００３８】
認証手段２０５が認証を許可すると、ネットワークを確立し、接続端末３００のネットワーク確立手段３０３と電話サービスサーバ２００のネットワーク確立手段２０６とが双方に接続を保持する（ステップＳ４）。
【００３９】
この状態で、電話サービスサーバ２００の通信回線仲介手段２０２は、ユーザＡの無線通信端末４００が所属する無線公衆網サービスサーバ１００に対し、ユーザＡの無線通信端末４００宛ての通信サービスを、電話サービスサーバ２００が転送処理するよう依頼する。この転送処理は、電話サービスサーバ２００と無線公衆網サービスサーバ１００との間で設定を行うので、ユーザは転送の設定は必要ない（ステップＳ５）。
これにより、ユーザＡが使用する無線公衆網サービスサーバ１００と電話サービスサーバ２００との通信が確立する。
電話サービスサーバ２００は、無線公衆網サービスサーバ１００が保持していてもよいし、別会社が保持運営してもかまわない。
【００４０】
図３は、ユーザＡの所持する無線通信端末４００が圏外の場合に他から電話がかかって来た場合の例である。
ユーザＢの無線通信端末５００からユーザＡの無線通信端末４００に電話をかける場合を想定する。ユーザＢが、無線通信端末５００を使用してユーザＡの無線通信端末４００に対して電話をかける（ステップＳ１１）。無線公衆サービスサーバ１００は、ユーザＡの無線通信端末４００を呼び出すが、圏外エリアかつ、通信回線仲介手段１０１において電話サービスサーバ２００に転送の指示が出ているのを確認して電話サービスサーバ２００の通信回線仲介手段２０２に通信サービスを渡す（ステップＳ１２）。
【００４１】
電話サービスサーバ２００の通信回線仲介手段２０２は、ユーザＡ宛ての電話であることを認識し、ネットワーク確立手段２０６によってネットワーク上に存在するユーザＡのネットワークを調べる。ユーザＡのネットワークを確立し、接続端末３００のネットワーク確立手段３０３と電話サービスサーバ２００のネットワーク確立手段２０６とが双方に接続を保持する（ステップＳ１３）。
【００４２】
電話サービスサーバ２００のネットワーク確立手段２０６は、通信回線仲介手段２０２を通じ、さらに接続端末３００のネットワーク確立手段３０３を通じてデータ送受信手段３０４によりユーザＡの無線通信端末４００に着信を知らせる（ステップＳ１３）。
接続端末３００では、データ送受信手段３０４によって、ユーザＡとユーザＢは通信を行うことができる。
このことによって、ユーザが圏外の場所にいる場合であっても必要な時にどんな端末からでも無線通信端末に掛かってくる通信を逃すことない。
【００４３】
以上のように、本実施の形態の無線通信擬似接続システムは、無線通信端末４００，５００と、無線通信端末４００，５００を有線公衆網と接続可能にする固定無線サービスを行う無線公衆網サービスサーバ１００と、無線公衆網サービスサーバ１００に接続され、発信、着信及び通話の電話サービスを行うとともに、無線通信端末４００，５００と接続機器との通信を仲介する電話サービスサーバ２００と、電話サービスサーバ２００との間でデータ通信が可能な接続端末３００とから構成され、電話サービスサーバ２００は、接続端末３００からのアクセス要求を受けて認証手段２０５が認証すると、電話サービスサーバ２００のネットワーク確立手段２０６は、接続端末３００との間でネットワークを確立し、電話サービスサーバ２００の通信回線仲介手段２０２は、該当する無線通信端末宛ての通信サービスを、接続端末３００から電話サービスサーバ２００を経由して無線公衆サービスサーバ１００に転送する仲介を行い、接続端末３００と無線公衆サービスサーバ１００とを接続するので、無線公衆網サービスから外れた、サービスが受けられない場合、ユーザが希望した際には有線回線に繋がった接続端末に無線公衆網サービスを受けることができる。これにより、ユーザが圏外の場所にいる場合であっても必要な時にどんな端末からでも無線通信端末に掛かってくる通信を逃すことない。
【００４４】
また、接続端末３００は、固定である必要はない。また、接続端末３００が上記各手段を保有していない場合には、電話サービスサーバ２００が、接続端末３００各手段と同様の機能である通信手段配布手段を備える構成としてもよい。このように、接続端末３００又は電話サービスサーバ２００に上記各手段を付加することで、自分が管理していない接続端末であっても利用することが可能となる。
【００４５】
さらに、無線通信端末４００の電池残量が少なくなった場合には、無線通信擬似接続システムを使うことによって本当に移動する時にのみ、無線通信端末４００の電源を入れれば良いことになり、電池の有効活用をすることができる。
【００４６】
また、無線通信端末４００が保有している機能が少ない場合にも、接続端末３００が持つ機能を利用することができるため、一時的に、無線通信端末４００の機能以上の能力を持つことができる。
【００４７】
第２の実施の形態
図４は、本発明の第２の実施の形態の無線通信擬似接続システムの構成を示す図である。図１と同一構成部分には同一符号を付して重複箇所の説明を省略する。
【００４８】
図４において、無線通信擬似接続システムは、携帯電話機／ＰＨＳ等の無線通信端末４００，５００と、無線通信端末４００，５００を有線公衆網と接続可能にする固定無線サービスを行う無線公衆網サービスサーバ１００と、無線公衆網サービスサーバ１００に接続され、発信、着信及び通話の電話サービスを行うとともに、無線通信端末４００，５００と接続機器との通信を仲介する電話サービスサーバ２１０と、電話サービスサーバ２１０との間でデータ通信が可能な接続端末３００とから構成される。
電話サービスサーバ２１０は、さらに、通信データを変換するデータ変換手段２０７を備えて構成される。
【００４９】
データ変換手段２０７は、電話サービスサーバ２１０を介して接続端末３００から無線公衆サービスサーバ１００に転送されるデータ、又は無線公衆サービスサーバ１００から接続端末３００に転送される通信データを変換する。データ変換は、例えば音声データを文字データに変換する、又は文字データを音声データに変換する。
【００５０】
ユーザＡは自分のいる環境上（例えば、静かさを保つことが原則である公衆の場所）や音声を出したくない場合には、電話サービスサーバ２００のデータ変換手段２０７を使って、通信中の音声データを文字データに変換する、又は文字データを音声データに変換することにより、声を余り出したくない場所等でも有効に使うことができる。
ここで、データ変換手段２０７におけるデータの変換は、音声と文字に限定されるものではない。
【００５１】
また、データ変換手段２０７におけるデータの変換の種類を増やすことによって、例えば、文字データをイメージデータに変換し、このイメージデータを駆使してイメージを再現したりすることができる。具体的には、イメージを文字の密度で濃淡をつけたアスキーイメージ化にする、東京弁を東北弁等に変える、昔の流行り言葉に変えるといった変換を行ってもよい。
【００５２】
第３の実施の形態
図５は、本発明の第３の実施の形態の無線通信擬似接続システムの構成を示す図である。図１と同一構成部分には同一符号を付して重複箇所の説明を省略する。
【００５３】
図５において、無線通信擬似接続システムは、携帯電話機／ＰＨＳ等の無線通信端末４１０，５１０と、無線通信端末４１０，５１０を有線公衆網と接続可能にする固定無線サービスを行う無線公衆網サービスサーバ１００と、無線公衆網サービスサーバ１００に接続され、発信、着信及び通話の電話サービスを行うとともに、無線通信端末４１０，５１０と接続機器との通信を仲介する電話サービスサーバ２００と、電話サービスサーバ２００との間でデータ通信が可能な接続端末３１０とから構成される。
【００５４】
無線通信端末４１０，５１０は、さらに、接続端末３１０との間で無線又は赤外線によりデータを送受信する端末接続手段４０２，５０２（通信手段）を備え、接続端末３１０は、無線通信端末４１０，５１０との間でデータを送受信する端末接続手段３０５（通信手段）を備え、相互に近距離通信が行える構成とする。
【００５５】
端末接続手段３０５及び端末接続手段４０２，５０２は、近距離無線を行うための無線通信部である。または、近距離通信により相互に接続できるものであればよく、赤外線（ＩＲ）で通信を行う光通信ポート部、具体的には赤外線を利用してデータを伝送するための規格、ＩｒＤＡ（Ｉｎｆｒａｒｅｄ  Ｄａｔａ  Ａｓｓｏｃｉａｔｉｏｎ），ＡＳＫ等に準拠して光通信を行うためのＩ／Ｏポートである。この場合、各端末は、送出された信号を受信するための受光部を備える。
【００５６】
このように、無線通信端末４１０，５１０は、接続端末３１０との間の近距離無線で接続端末３１０に接続する端末接続手段４０２，５０２を付加し、接続端末３１０は、無線通信端末４１０，５１０に近距離無線で接続する端末接続手段３０５を付加し、双方で通信が行える構成としたので、無線通信端末４１０，５１０内の情報を共有することができる。これにより、ユーザＡは接続端末３１０に対し入出力手段３０１によるデータ入出力を行うことなく、データ通信により接続端末３１０⇔電話サービスサーバ２００⇔無線公衆網サーバ１００の接続が可能になる。
【００５７】
第４の実施の形態
図６は、本発明の第４の実施の形態の無線通信擬似接続システムを構成する無線通信端末の構成を示す図である。本実施の形態の無線通信端末として、カメラ付き携帯電話機／ＰＨＳの携帯通信端末に適用した例である。
【００５８】
本実施の形態の無線通信擬似接続システムの無線通信端末の構成以外、すなわち無線公衆サービスサーバ、電話サービスサーバ、接続端末の構成は図１、図４及び図５と同様な装置が適用できる。
【００５９】
図６において、１０は、カメラ付き携帯電話機（無線通信端末）であり、携帯電話機１０の本体１０ａは、無線通信を行うためのアンテナ１１、本体１０ａ背面に内蔵され対象となる画像情報を入力するカメラ１２、本体１０ａ背面に内蔵され暗い場所やバーコード読み取り時にユーザ操作等により発光する小型のライト１３、受話を行うための拡声用スピーカ１４、操作のためのガイダンスや受信情報，画像やテキスト情報などの情報をカラー表示するＬＣＤ表示部１５、電源のＯＮ／ＯＦＦを行う電源キー１６、着信，発信，電話機能切り替え，動作決定等を行う電話機能キー１７、各種機能を切り替えるためのモードキー１８、上下左右の方向に選択対象を移動させるカーソルキー１９、カメラ１２の入力を決定するシャッターボタンであるシャッターキー２０、ライト１３をＯＮ／ＯＦＦするライトＯＮ／ＯＦＦボタン２１、電話番号の入力等ダイヤルするためのメンブレンキー（Ｍｅｍｂｒａｎｅ  ｋｅｙ）からなるダイヤルキー２２、及び音声を入力するためのマイク２３を備えて構成される。
【００６０】
カメラ１２は、携帯電話機１０に内蔵された例えば３４万画素のＣＣＤ（Ｃｈａｒｇｅ  Ｃｏｕｐｌｅｄ  Ｄｅｖｉｃｅ）（エリア型固体撮像素子）カメラである。カメラ１２は、単焦点レンズを有し、通常撮影時とバーコード読み取り時とで焦点深度が切換えられる。
【００６１】
ＬＣＤ表示部１５は、ドットマトリクス構成のカラー表示可能なＬＣＤディスプレイ，バックライトであるＰＤＰ，ＥＬ及び各ドライバ等で構成される。ＬＣＤ表示部１５には、撮影時、カメラ１２から入力される画像情報が表示され、また、コード認識が完了した場合、文字あるいはアイコンなどのメッセージにより認識結果が表示される。また、非撮影時にはダイヤルキー２２から入力された番号や、非電話機能のための各種画面、電話機能の動作状態を示すアイコン等が表示される。さらに、待機時には時刻が表示され、個人情報やシステムの状態などを表示する。
【００６２】
電源キー１６、電話機能キー１７、モードキー１８、カーソルキー１９、シャッターキー２０、ライトＯＮ／ＯＦＦボタン２１及びダイヤルキー２２は、いずれも手動で操作を行い、操作された内容を制御部３１（図７）に情報として伝達する。本実施の形態では、シャッターキー２０やライトＯＮ／ＯＦＦボタン２１を独立のキーとしているが、これらのキーの機能を他のキー（例えばモードキー１８）に割り当てる構成でもよい。
【００６３】
図７は、カメラ付き携帯電話機１０の機能を示すブロック図である。
図７において、携帯電話機１０は、ＰＤＡ等の携帯情報端末やＰＨＳ／携帯電話機であり、本装置全体を制御するＣＰＵからなる制御部３１（セキュリティキー送出手段の一部，２次元バーコード認識手段）、制御プログラムや固定データ等を記憶するＲＯＭ，ＣＰＵの作業用記憶領域であるＲＡＭ等の半導体メモリ及びハードディスクなどからなり受信又は入力された文字情報、画像情報、音声信号を記憶する記憶メモリ３２、対象となる画像情報を入力するカメラ３３、バーコード読み取り時等にユーザ操作により発光するライト３４、文字情報や画像情報、２次元バーコードのシンボルをカラー表示する表示部３５、ユーザからのキー操作情報を入力生成するキー入力部３６、電波を送受信するアンテナ３７、無線通信の送受信を制御する無線部３８（セキュリティキー送出手段の一部，セキュリティキー受信手段）、音声信号を出力するスピーカ３９、ユーザから音声信号を入力するマイク４０を備えて構成される。
【００６４】
カメラ３３は、２次元バーコードシンボルを撮像する画像入力装置である。
キー入力部３６は、２次元バーコードを作成するためのメッセージ入力と、セキュリティキーを入力する。
【００６５】
無線部３８は、入力されたセキュリティキーや２次元バーコードシンボルを無線通信で送信する、あるいは電話サービスサーバ２００（図１、図４、図５）から定期的に送信されるセキュリティキーを無線通信で受信する。
【００６６】
制御部３１は、携帯電話機１０全体を制御するとともに、バーコード読み取り機能を有し、キー操作に基づいて、カメラ３３によるバーコード撮影、２次元バーコードシンボルをセキュリティキーとして取り込み、電話サービスサーバ２００に送る制御を行う。
【００６７】
また、携帯電話機１０は、無線部３８で電話サービスサーバ２００から定期的に送信されるセキュリティキーを受信し、該受信したセキュリティキーを判定して前記接続を行う。
【００６８】
一方、電話サービスサーバ２００（図１、図４、図５）は、携帯電話機１０から接続端末３００経由で電話サービスサーバ２００に送られたセキュリティキーを判定するセキュリティキー判定手段を備え、携帯電話機１０から送信されたセキュリティキーを判定して前記接続を行う。
記憶メモリ３２は、不揮発性記憶メモリを備え、キー入力部３６によって入力された、セキュリティキーや２次元バーコードシンボルを記憶する。
【００６９】
ＲＯＭは、制御部３１が動作する際に必要なプログラム、通信制御データ等の固定データを記憶する読出し専用の半導体メモリである。ＲＡＭは、バーコード認識・表示や通信に関するデータ、演算に使用するデータ及び演算結果等を一時的に記憶するいわゆるワーキングメモリとして使用される。携帯電話機１０で処理されるプログラムは、このＲＡＭに展開されて実行される。また、ＲＡＭの一部は、電気的に書換可能な不揮発性メモリであるＥＥＰＲＯＭ（ｅｌｅｃｔｒｉｃａｌｌｙ  ｅｒａｓａｂｌｅ  ｐｒｏｇｒａｍｍａｂｌｅ  ＲＯＭ）からなり、ＥＥＰＲＯＭに書き込むプログラムを変えることによって、特に携帯電話機１０における各種の仕様を変更することができる。すなわち、最近ではシステム開発のデバッグごとにマスクＲＯＭを変更する時間損失を回避するため、プログラムＲＯＭを不揮発性メモリ、例えばＥＰＲＯＭ，ＥＥＰＲＯＭとし、プログラム開発・修正時間の短縮の大幅な短縮を図っている。また、プログラムをダウンロードしてＥＥＰＲＯＭのプログラム内容を書き換えるようにすれば機能のアップグレードや機能の変更を容易に行うことが可能になる。
【００７０】
本実施の形態では、無線通信端末４００，５００（図１）である携帯電話機１０に、セキュリティキーを接続端末３００に送信するセキュリティキー送信手段を付加しているので、電話サービスサーバ２００において、より複雑に他人に接続されることを防止することができ、セキュリティ効果を高めることができる。
【００７１】
また、携帯電話機１０は、カメラ１２と、撮像した２次元バーコードを認識する制御を行う制御部３１とを備え、電話サービスサーバ２００を管理する管理会社又は、無線公衆網サービスサーバ１００を運営する運営会社と、ユーザで作られた暗号キーを物理的な２次元バーコードとして、記憶メモリ３２に保持することができる。これにより、サービスを受ける場合にはその２次元バーコードを読込まないと接続できないようにすることができ、より複雑に他人に接続されることを防止することができる。
【００７２】
セキュリティキーとしては、端末固有の番号（製造番号等）、随時異なるセキュリティキーが考えられる。一例として、予め、電話サービスサーバ２００に、ユーザＡのバイオメトリクスデータ（指紋照合データや虹彩データなどのユーザ固有の生体データ）を保持しておき、電話サービスサーバ２００は、随時バイオメトリクスデータの一部をセキュリティキーとする。例えば、電話サービスサーバ２００は、バイオメトリクスデータの範囲Ａ（範囲は随時異なる）の部分のデータを送信しなさい等の命令を出し、依頼を受けた、セキュリティキー入力手段を持つ接続端末３００又は、無線通信端末である携帯電話機１０は、自分のバイオメトリクスデータを取込み、制御手段（セキュリティキー作成手段）でデータ範囲Ａを作成し、無線部３８（セキュリティキー送信手段）により電話サービスサーバ２００に送信する。
【００７３】
電話サービスサーバ２００は、受信したセキュリティキーが正しいか判定し、セキュリティキーが正しいときに前記各実施の形態で述べた無線通信擬似接続を実行することで、より複雑に他人に接続されることを防止することができる。
【００７４】
また、電話サービスサーバ２００は、ユーザの携帯電話機１０（無線通信端末）内の情報を保持するための記憶装置２０４（図１）を備えることで、ユーザの携帯電話機１０のバックアップになる他、無線通信端末４００が使えない状態にあっても、誰から掛かってきた通信であるのかをユーザに知らせることができる。
【００７５】
なお、本実施の形態では、無線通信端末４００，５００である携帯電話機１０が、セキュリティキー送出手段、セキュリティキー受信手段、又は２次元バーコード入力認識手段を備え、セキュリティキーを送受信、又は２次元バーコードシンボルを電話サービスサーバ２００に送る例を示したが、セキュリティキー送受信と、２次元バーコード入力認識のいずれか１つのみを備える構成であってもよい。
以上の説明は本発明の好適な実施の形態の例証であり、本発明の範囲はこれに限定されることはない。
【００７６】
なお、上記実施の形態では、接続端末をパソコン等の情報処理装置、携帯電話機に適用した例であるが、データ送受信可能な装置であればどのような装置にも適用可能である。例えば、公共の場所等に設置されたアクセスポイントやデータ通信機能を備えたＰＤＡ，ＰＨＳ等の制御にも応用できる。また、通信データは、どのようなデータであってもよい。
【００７７】
また、本実施の形態では、無線通信擬似接続システム、サービスサーバ及び接続端末という名称を用いたが、これは説明の便宜上であり、ネットワークシステム、電話転送システム、電話転送装置やデータ通信方法等でもよいことは勿論である。
また、上記無線通信端末及びサーバ、接続端末を構成する各回路部、例えば記憶部や表示部の種類、数及び接続方法などは前述した実施の形態に限られない。
【００７８】
また、上記実施の形態では、無線通信端と接続端末を電波を用いた無線通信により接続するようにしているが、どのような接続方法でもよく、例えばＩｒ通信や有線通信であってもよい。
【００７９】
また、以上説明した無線通信擬似接続システムは、これら無線通信端末又は情報処理装置を機能させるためのプログラムでも実現される。このプログラムはコンピュータで読み取り可能な記録媒体に格納されている。本発明では、この記録媒体として、図１に示されている各手段のメインメモリそのものがプログラムメディアであってもよいし、また外部記憶装置としてＣＤ−ＲＯＭドライブ等のプログラム読み取り装置が設けられ、そこに記録媒体を挿入することで読み取り可能なＣＤ−ＲＯＭ等のプログラムメディアであってもよい。いずれの場合でも、格納されているプログラムは各手段のＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め各装置に格納されているものとする。
【００８０】
ここで、上記プログラムメディアは、無線通信端末又は情報処理装置と分離可能に構成される記録媒体であり、磁気テープやカセットテープ等の磁気ディスクやＣＤ−ＲＯＭ、ＣＤ−Ｒ／ＲＷ、ＭＯ、ＭＤ、ＤＶＤ−ＲＯＭ、ＤＶＤ−ＲＡＭ、ＤＶＤ−ＲＷ等の光ディスクのディスク系、ＰＣカード、コンパクトフラッシュカード、スマートメディア、ＩＣカード、ＳＤカード、メモリースティック等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００８１】
さらに、インターネット接続プロバイダ又は携帯メールサービス等の外部の通信ネットワークとの接続が可能な通信接続手段を介して通信ネットワークからプログラムをダウンロードするように、流動的にプログラムを担持する媒体であってもよい。なお、このように通信ネットワークからプログラムをダウンロードする場合には、そのダウンロード用プログラムは予め格納しておくか、あるいは別な記録楳体からインストールされるものであってもよい。なお、記録媒体に格納されている内容としてはプログラムに限定されず、データであってもよい。
【００８２】
【発明の効果】
以上、詳述したように、本発明によれば、無線公衆網サービスから外れた、サービスが受けられない場合、ユーザが希望した際には有線回線に繋がった通信端末に無線公衆網サービスを受けることができる。
また、転送処理は、電話サービスサーバと無線公衆サービスサーバで設定を行うので、ユーザは転送の設定は必要ない。
【００８３】
また、接続端末を使って通信接続を行うので、無線通信端末の電池残量が少なくなった場合には、無線通信擬似接続システムを使うことによって本当に移動する時にのみ、無線通信端末の電源を入れれば良いことになり、電池の有効活用をすることができる。
【００８４】
さらに、接続端末を使って通信接続を行うので、接続端末が持つ機能を利用することができるため、一次的に、無線通信端末の機能以上の能力を持つことができる。
【図面の簡単な説明】
【図１】本発明の第１の実施の形態の無線通信擬似接続システムの構成を示す図である。
【図２】本実施の形態の無線通信擬似接続システムの制御シーケンスを示す図である。
【図３】本実施の形態の無線通信擬似接続システムの制御シーケンスを示す図である。
【図４】本発明の第２の実施の形態の無線通信擬似接続システムの構成を示す図である。
【図５】本発明の第３の実施の形態の無線通信擬似接続システムの構成を示す図である。
【図６】本発明の第４の実施の形態の無線通信擬似接続システムを構成する無線通信端末の構成を示す図である。
【図７】本実施の形態の無線通信擬似接続システムを構成する無線通信端末の機能を示すブロック図である。
【符号の説明】
１０  カメラ付き携帯電話機（無線通信端末）
１０ａ  携帯電話機本体
１１，３７  アンテナ
１２，３３  カメラ
１３，３４  ライト
１４，３９  スピーカ
１５，３５  ＬＣＤ表示部
１６  電源キー
１７  電話機能キー
１８  モードキー
１９  カーソルキー
２０  シャッターキー
２１  ライトＯＮ／ＯＦＦボタン
２２  ダイヤルキー
２３，４０  マイク
３１  制御部（セキュリティキー送出手段の一部，２次元バーコード認識手段
）
３２  記憶メモリ
３６  キー入力部
３８  無線部（セキュリティキー送出手段の一部，セキュリティキー受信手段）
１００  無線公衆網サービスサーバ
１０１，２０２  通信回線仲介手段
２００，２１０  電話サービスサーバ
２０１  顧客管理手段
２０３，３０２  アクセス手段
２０４  記憶装置
２０５  認証手段
２０６，３０３  ネットワーク確立手段
２０７  データ変換手段
３００，３１０  接続端末
３０１  入出力手段
３０４  データ送受信手段
３０５，４０２，５０２  端末接続手段
４００，５００  無線通信端末
４０１，５０１  無線通信手段
【図１】
2004215097.tif 000003
【図２】
2004215097.tif 000004
【図３】
2004215097.tif 000005
【図４】
2004215097.tif 000006
【図５】
2004215097.tif 000007
【図６】
2004215097.tif 000008
【図７】
2004215097.tif 000009